【手続補正書】
【提出日】平成31年1月21日(2019.1.21)
【手続補正１】
【補正対象書類名】特許請求の範囲
【補正対象項目名】全文
【補正方法】変更
【補正の内容】
【特許請求の範囲】
【請求項１】
カメラによる撮影結果に基づいて、カメラが第１の被写体を所定のエリアで撮影していない状態で、前記第１の被写体に関係する第２の被写体を所定のエリアで撮影したかを判定する判定手段と、
前記判定手段により、カメラが前記第１の被写体を所定のエリアで撮影していない状態で、前記第２の被写体を所定のエリアで撮影したと判定されたことを条件に、前記第２の被写体が所定のエリアに置き去りになっていることを知らせるべく通知する通知手段と、
を備えることを特徴とする情報処理装置。
【請求項２】
前記判定手段は、カメラによる撮影結果に基づいて、前記第１の被写体が施設内のエリアで撮影されていない状態で、前記第２の被写体を施設の出口、又は出口付近エリアで撮影したかを判定し、
前記通知手段は、前記判定手段により、前記第１の被写体が施設内のエリアで撮影されていない状態で、前記第２の被写体を施設の出口、又は出口付近エリアで撮影したと判定されたことを条件に、前記第２の被写体が所定のエリアに置き去りになっていることを知らせるべく通知することを特徴とする請求項１に記載の情報処理装置。
【請求項３】
カメラが各エリアを撮影して得られた各画像データに含まれる前記第１の被写体を特定して、前記第１の被写体が特定された画像データが撮影されたエリアを示すエリア情報を前記撮影結果として管理し、及び前記第１の被写体に関係する被写体として登録された前記第２の被写体であって、カメラが各エリアを撮影して得られた各画像データに含まれる前記第２の被写体を特定して、前記第２の被写体が特定された画像データが撮影されたエリアを示すエリア情報を前記撮影結果として管理する管理手段を備え、
前記判定手段は、前記カメラが撮影した直近の所定期間内において、前記管理手段により管理されたエリア情報を用いて、前記第１の被写体を所定のエリアで撮影していない状態で、前記第２の被写体を所定のエリアで撮影したかを判定することを特徴とする請求項１又は２に記載の情報処理装置。
【請求項４】
エリアごとに設置された各カメラが所定時間毎に撮影した各画像データと、当該撮影したカメラを識別する識別情報とを取得する取得手段を備え、
前記管理手段は、前記取得手段により取得された画像データに含まれる被写体と、前記取得手段により取得された識別情報により識別されるカメラが撮影するエリアとを特定して、当該特定されたエリアのエリア情報を、当該被写体が特定されたエリアのエリア情報として時系列で管理することを特徴とする請求項３に記載の情報処理装置。
【請求項５】
前記判定手段は、カメラによる撮影結果に基づいて、カメラが第１の被写体を所定のエリアで撮影していない状態で、前記第１の被写体に関係する第２の被写体を所定のエリアで撮影し、かつ、前記第１の被写体が撮影された最後のエリアが出口、又は出口付近エリアであるかを判定し、
前記通知手段は、カメラが第１の被写体を所定のエリアで撮影していない状態で、前記第１の被写体に関係する第２の被写体を所定のエリアで撮影し、かつ、前記第１の被写体が撮影された最後のエリアが出口、又は出口付近エリアであると判定されたことを条件に、前記第２の被写体が所定のエリアに置き去りになっていることを知らせるべく通知する請求項１乃至４の何れか１項に記載の情報処理装置。
【請求項６】
カメラによる撮影結果に基づいて、カメラが第１の被写体を施設の出口、又は出口付近エリアで撮影していないものの当該施設の他のエリアで撮影されている状態で、前記第１の被写体に関係する第２の被写体を施設の出口、又は出口付近エリアで撮影したかを判定する判定手段と、
前記判定手段により、前記第１の被写体を施設の出口、又は出口付近エリアで撮影していないものの当該施設の他のエリアで撮影されている状態で、前記第２の被写体を施設の出口、又は出口付近エリアで撮影したと判定されたことを条件に、前記第２の被写体が施設の外に出てしまうことを知らせるべく通知する通知手段と、
を備えることを特徴とする情報処理装置。
【請求項７】
カメラによる撮影結果に基づいて、カメラが第１の被写体を所定のエリアで撮影していない状態で、前記第１の被写体に関係する第２の被写体を所定のエリアで撮影したかを判定する判定工程と、
前記判定工程により、カメラが前記第１の被写体を所定のエリアで撮影していない状態で、前記第２の被写体を所定のエリアで撮影したと判定されたことを条件に、前記第２の被写体が所定のエリアに置き去りになっていることを知らせるべく通知する通知工程と、
を備えることを特徴とする制御方法。
【請求項８】
カメラによる撮影結果に基づいて、カメラが第１の被写体を施設の出口、又は出口付近エリアで撮影していないものの当該施設の他のエリアで撮影されている状態で、前記第１の被写体に関係する第２の被写体を施設の出口、又は出口付近エリアで撮影したかを判定する判定工程と、
前記判定工程により、前記第１の被写体を施設の出口、又は出口付近エリアで撮影していないものの当該施設の他のエリアで撮影されている状態で、前記第２の被写体を施設の出口、又は出口付近エリアで撮影したと判定されたことを条件に、前記第２の被写体が施設の外に出てしまうことを知らせるべく通知する通知工程と、
を備えることを特徴とする制御方法。
【請求項９】
コンピュータを、請求項１から６の何れか１項に記載された情報処理システムとして機能させるためのプログラム。
【手続補正２】
【補正対象書類名】明細書
【補正対象項目名】０００１
【補正方法】変更
【補正の内容】
【０００１】
本発明は、情報処理装置、及びその制御方法、プログラムに関し、特に、カメラによる撮影結果に基づいて、被写体の置き去りに関する通知を行うための技術に関するものである。
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】変更
【補正の内容】
【０００６】
本発明の目的は、カメラによる撮影結果に基づいて、被写体の置き去りに関する通知を行う仕組みを提供することである。
【手続補正５】
【補正対象書類名】明細書
【補正対象項目名】０００７
【補正方法】変更
【補正の内容】
【０００７】
本発明は、カメラによる撮影結果に基づいて、カメラが第１の被写体を所定のエリアで撮影していない状態で、前記第１の被写体に関係する第２の被写体を所定のエリアで撮影したかを判定する判定手段と、前記判定手段により、カメラが前記第１の被写体を所定のエリアで撮影していない状態で、前記第２の被写体を所定のエリアで撮影したと判定されたことを条件に、前記第２の被写体が所定のエリアに置き去りになっていることを知らせるべく通知する通知手段と、を備えることを特徴とする。
【手続補正６】
【補正対象書類名】明細書
【補正対象項目名】０００８
【補正方法】変更
【補正の内容】
【０００８】
また、本発明は、カメラによる撮影結果に基づいて、カメラが第１の被写体を施設の出口、又は出口付近エリアで撮影していないものの当該施設の他のエリアで撮影されている状態で、前記第１の被写体に関係する第２の被写体を施設の出口、又は出口付近エリアで撮影したかを判定する判定手段と、前記判定手段により、前記第１の被写体を施設の出口、又は出口付近エリアで撮影していないものの当該施設の他のエリアで撮影されている状態で、前記第２の被写体を施設の出口、又は出口付近エリアで撮影したと判定されたことを条件に、前記第２の被写体が施設の外に出てしまうことを知らせるべく通知する通知手段と、を備えることを特徴とする。
【手続補正７】
【補正対象書類名】明細書
【補正対象項目名】０００９
【補正方法】変更
【補正の内容】
【０００９】
また、本発明は、カメラによる撮影結果に基づいて、カメラが第１の被写体を所定のエリアで撮影していない状態で、前記第１の被写体に関係する第２の被写体を所定のエリアで撮影したかを判定する判定工程と、前記判定工程により、カメラが前記第１の被写体を所定のエリアで撮影していない状態で、前記第２の被写体を所定のエリアで撮影したと判定されたことを条件に、前記第２の被写体が所定のエリアに置き去りになっていることを知らせるべく通知する通知工程と、を備えることを特徴とする。
また、本発明は、カメラによる撮影結果に基づいて、カメラが第１の被写体を施設の出口、又は出口付近エリアで撮影していないものの当該施設の他のエリアで撮影されている状態で、前記第１の被写体に関係する第２の被写体を施設の出口、又は出口付近エリアで撮影したかを判定する判定工程と、前記判定工程により、前記第１の被写体を施設の出口、又は出口付近エリアで撮影していないものの当該施設の他のエリアで撮影されている状態で、前記第２の被写体を施設の出口、又は出口付近エリアで撮影したと判定されたことを条件に、前記第２の被写体が施設の外に出てしまうことを知らせるべく通知する通知工程と、を備えることを特徴とする。
また、本発明は、コンピュータを、上述の情報処理システムとして機能させるためのプログラムを特徴とする。
【手続補正８】
【補正対象書類名】明細書
【補正対象項目名】００１０
【補正方法】変更
【補正の内容】
【００１０】
本発明によれば、カメラによる撮影結果に基づいて、被写体の置き去りに関する通知を行うことができる。